(57)【要約】      （修正有）【課題】操作部材を引き抜くことができるようにしたサムターンにおいて、部品点数を少なくする。また面付け錠にも適用できるようにする。【解決手段】錠ケースに固定的に設けられたサムターン座７と、このサムターン座の内部に操作部材１３の係合突起２３と係脱する開口縁部２５を有する胴体部分２６が位置するように組み込まれ、かつ、胴体部分２６に連設する頭部２７はサムターン座７から突出し、一方、胴体部分２６に連設する細幅の脚部２８は、前記頭部２７を指で押し下げることによりサムターン座７の内壁面に圧接して弾性変位し得るストッパー板１４とから成り、所望時に前記頭部２７を指で押し下げ、前記開口縁部２５と係合突起２３との干渉状態を解消させながら操作部材１３をそのまま引き抜くことを特徴とする錠前のサムターン。【選択図】  図３
2004346540.tif 000002
【特許請求の範囲】
【請求項１】
錠ケースに固定的に設けられたサムターン座と、このサムターン座の内部に操作部材の係合突起と係脱する開口縁部を有する胴体部分が位置するように組み込まれ、かつ、胴体部分に連設する頭部はサムターン座から突出し、一方、胴体部分に連設する細幅の脚部は、前記頭部を指で押し下げることによりサムターン座の内壁面に圧接して弾性変位し得るストッパー板とから成り、所望時に前記頭部を指で押し下げ、前記開口縁部と係合突起との干渉状態を解消させながら操作部材をそのまま引き抜くことを特徴とする錠前のサムターン。
【請求項２】
請求項１に於いて、錠ケースは、扉の内壁面から突出することを特徴とする錠前のサムターン。
【請求項３】
請求項１に於いて、ストッパー板１４は、このサムターン座７の内部に位置し、かつ、操作部材１３の係合突起２３と係脱する開口縁部２５を有する胴体部分２６と、この胴体部分２６の上部からサムターン座７のケース部１５から突出するように延伸する頭部２７と、前記胴体部分２６の周壁から下方方向へ延び、かつ、サムターン座７のケース部１５の内壁底面１５ｂに圧接変位する細幅の脚部２８とから成ることを特徴とする錠前のサムターン。
【請求項４】
請求項１に於いて、細幅の脚部２８は、胴体部分２６に左右一対設けられていることを特徴とする錠前のサムターン。
【請求項５】
請求項１に於いて、解錠時及び施錠時に、ストッパー板１４の頭部をそれぞれ指で押圧すると、細幅の脚部２８が弾性変位し、操作部材をそのまま引き抜くことができること特徴とする錠前のサムターン。
【発明の詳細な説明】
【０００１】
【発明の属する技術分野】
本発明は防犯型の錠前のサムターンに関する。
【０００２】
【従来の技術】
従来技術の一例は、特開１１−９３４８２号公報に記載されている。この公報の記載の錠前のサムターンは、扉の内部に取り付けられたサムターン筒と、このサムターン筒に内装されたシリンダー錠と、このシリンダー錠の先端部をカバーする筒状サムターンカバーと、前記シリンダー錠を室内側から施・解錠することができるサムターン摘み兼用合鍵とから構成され、例えば施錠時において、前記合鍵をシリンダー錠から抜き取りたい時は、サムターン筒の先端部に内装されたばね部材のバネ力に抗してサムターンカバーに差し込まれた板状キーストッパーを押し上げると、該キーストッパーの係止機能を有する開口縁部が合鍵のスロット部分の係合突起から離れるので、就寝時、外出時などに摘み兼用合鍵を自由に引き抜くことができる。したがって、泥棒が、たとえば扉の一部のガラスを破壊しても、いわゆる「サムターン回し」をすることができないという利点がある。
【０００３】
上記錠前のサムターンは、ばね部材をサムターン筒の先端部に形成した凹所に組み込み、また、板状キーストッパーをサムターン筒の先端部と筒状サムターンカバーの垂直壁との間に組み込み、板状キーストッパーの開口縁部が合鍵のスロット部分の係合突起に係脱するように構成する必要がある。したがって、部品点数が多くなるという問題点があった。また、扉の内壁面から錠ケースが突出する「面付け錠」に適用することができないという問題点もあった。
【０００４】
【発明が解決しようとする課題】
本発明の第１の目的は、従来の技術の利点を生かしつつ、部品点数を少なくすると共に、主たる部材を合理的に組み合わせることである。第２の目的は、「面付け錠」にも適用することができることである。第３の目的は、操作部材を簡単に引き抜くことができることである。第４の目的は、操作部材が不用意に抜けないことである。
【０００５】
【課題を解決するための手段】
本発明の錠前のサムターンは、錠ケースに固定的に設けられたサムターン座と、このサムターン座の内部に操作部材の係合突起と係脱する開口縁部を有する胴体部分が位置するように組み込まれ、かつ、胴体部分に連設する頭部はサムターン座から突出し、一方、胴体部分に連設する細幅の脚部は、前記頭部を指で押し下げることによりサムターン座の内壁面に圧接して弾性変位し得るストッパー板とから成り、所望時に前記頭部を指で押し下げ、前記開口縁部と係合突起との干渉状態を解消させながら操作部材をそのまま引き抜くことを特徴とする。
【０００６】
上記構成に於いて、錠ケースは、扉の内壁面から突出することを特徴とする。
【０００７】
【発明の実施の形態】
図１乃至図１３は、本発明の一実施例を示す各説明図である。図３で示すように、１は室外側２と室内側３を区分けする扉である。扉１は建具の一つであるから、１ａは外壁面、１ｂは内壁面である。４は錠前Ｘを構成するシリンダー錠である。シリンダー錠４は扉１の開放側端部に取り付けられ、居住者が室外側２から合鍵５を操作すると、外筒体、内筒体、障害子、バネ部材等で構成された施・解錠機構が解錠又は施錠状態となる。６は扉１の内壁面１ｂに固定された錠ケースで、本実施例では、錠前Ｘが「面付錠（当業者用語）」であることから、前記内壁面１ｂから突出している。
【０００８】
そこで、まず、本発明の主たる部材について簡単に説明する。７は錠ケース６に固定的に設けられたサムターン座である。実施例では、サムターン座７は、錠前Ｘが、前述したように面付錠であることから、突出した錠ケース６の垂直壁６ａに形成した矩形状の取付け孔８を介して装着されている。
【０００９】
９はサムターン座７を固定的に支持する第１支持板で、この第１支持板９は前記垂直壁６ａの内壁面に添設状態に設けられ、図示しない固着具を介して錠ケース６に固定さていれる。また、１０は錠ケース６内に前記第１支持板９に対して多少離間して設けられた第２支持板で、この第２支持板１０も図示しない固着具を介して錠ケース６に固定さていれる。第１支持板９及び第２支持板１０には、シリンダー錠４の中心駆動軸を基準にして中心孔９ａ，１０ａがそれぞれ形成されている。
【００１０】
１１はシリンダー錠４の駆動軸と連結するように前記中心孔９ａ，１０ａを介して第１支持板９及び第２支持板１０に設けられたサムターン入力軸である。このサムターン入力軸１１の形態は任意に設計できるが、本実施例では、前記駆動軸側の小径部１１ａに連結する大径部（室内側端部）１１ｂには、操作部材用の嵌合部（嵌合突起、嵌合孔など）１２が形成されている。
【００１１】
１３は挿入端部側が前記サムターン入力軸１１の嵌合部１２に嵌合連結された操作部材で、この操作部材１３は、前述した合鍵５と同様に室内側３から錠前Ｘの施・解錠機構を解錠又は施錠状態にするために使用されると共に、本実施例では、居住者が所望する時には、ワンタッチ方式或いは自由に錠前Ｘ（サムターン入力軸１１）から引き抜くことができる。
【００１２】
１４は前記サムターン座７に組み込まれた合成樹脂製のストッパー板で、このストッパー板１４は、例えば錠前Ｘの解錠時に操作部材１３が簡単に抜けないように該操作部材１３を直接係止（干渉）しているものの、後述する頭部を押し下げると、係止状態が解消する。したがって、操作部材１３をそのまま引き抜くことができる。
【００１３】
次に主要部材の各部の構成を説明する。まず、図４及び図５は、サムターン座７の斜視図である。図４は室内側３から見た表側に相当し、一方、図５は逆で、扉の内壁面１ｂから見た裏側に相当する。
【００１４】
しかして、１５は後壁側が開口１６するケース部で、このケース部１５の上壁には、やや小さめの窓１７が形成されている。またケース部１５の前壁には、前述したシリンダー錠４の駆動軸の中心線上に位置する操作部材用の貫通孔１８が形成されている。１９はケース部１５の後端部に突壁状に形成されたフランジ部で、このフランジ部１９は、錠ケース６の垂直壁６ａと第１支持板９に面接触状態に挟持されている。サムターン座７の細部の構造については割愛する。
【００１５】
図６及び図７は、操作部材（サムターン摘み）１３の各説明図である。操作部材１３の板状摘み部分２１は、錠前Ｘが解錠状態の場合には、水平状態となる（図３、図６参照）。一方、板状摘み部分２１は、錠前Ｘが施錠状態の場合には、垂直状態となる（図７、図１１参照）。
【００１６】
しかして、摘み部分２１の一端中央部には、サムターン座７のケース部１５の前壁１５ａに面接触の状態で当接する膨らみ部分２１ａが形成されている。また、この膨らみ部分２１ａの端面から棒状の挿入杆２２が水平に延びている。水平挿入杆２２には、上下に一対の係合突起２３．２３が設けられている。
この水平挿入杆の２２係合突起２３．２３は、挿入時、図３で示すようにサムターン入力軸１１の嵌合部１２に適宜に嵌入する。したがって、操作部材１３を回すと、サムターン入力軸１１を介して錠前Ｘを施・解錠することができる。
【００１７】
図８及び図９は、頭部２７を除き、胴体部分２６及び脚部２８がサムターン座７に組み込まれるストッパー板１４の各説明図である。
【００１８】
しかして、このストッパー板１４は、サムターン座７の内部に位置し、かつ、操作部材１３の係合突起２３と係脱する中央開口２４の開口縁部２５を有する円形状胴体部分２６と、この胴体部分２６の周壁の上部からサムターン座７のケース部１５の窓１７から突出するように延伸する頭部２７と、前記胴体部分２６の周壁の腰部から下方方向へ湾曲状に延び、かつ、サムターン座７のケース部１５の内壁底面１５ｂに圧接し得るように変位する左右一対の細幅の弾性脚部２８，２８とから成る。
【００１９】
したがって、ストッパー板１４の細幅脚部２８は、本実施例では、図９で示すように。前記頭部２７を指Ｆで押し下げることにより、サムターン座の内壁面１５ｂに圧接して弾性変位する。それ故に、所望時（解錠時及び施錠時）、前記頭部２７を指Ｆで押し下げ、これにより前記開口縁部２５と垂直状態の係合突起２３との干渉状態を解消させた状態で操作部材１３をそのまま引き抜くことができる（図１０、図１３参照）。
【００２０】
すなわち、本実施例では、解錠時及び施錠時の両方において、不用意に操作部材１３が抜けないように、ストッパー板１４の頭部２７を押し下げることにより、図９、図１２で示すようにストッパー板１４の開口縁部２５と操作部材１３の係合突起２３との干渉が解消される。
【００２１】
したがって、図１０（解錠時）及び図１３（施錠時）に示すように、所望時に前記頭部２７を指で押し下げ、前記開口縁部２５と係合突起２３との干渉状態を解消させながら操作部材１３をそのまま引き抜くことができる。
【００２２】
【実施例】
本実施例では、細幅脚部２８は、ストッパー板１４の頭部２７を押し下げると変形する働き（弾性変形機能）と、頭部２７から指Ｆを離すと、材質自体の弾性力により、開口縁部２５で垂直状態の係合突起２３を係止するように復帰する働き（弾性復帰変形機能）とを有する。
【００２３】
本実施例では、細幅脚部２８は、左右に一対形成されているが、サムターン座の内壁面１５ｂに圧接することができるように延びる１本の脚部（あるいはアーム部）２８であっても良い。
【００２４】
なお、本実施例では所望時（解錠時及び施錠時）に頭部２７を指で押し下げ、前記開口縁部２５と係合突起２３との干渉状態を解消させながら操作部材１３をそのまま引き抜くことができるが、例えば図１４で示すようにストッパー板１４の中央開口２４Ａの開口径（広さ）を任意に設計変更することにより、施錠時に於いて、図１５で示すようにストッパー板１４の開口縁部２５と操作部材１３の係合突起２３との干渉関係が発生しないことから、操作部材１３をそのまま引き抜くことができる。
【００２５】
【発明の効果】
以上の説明から明らかなように、本発明にあっては、次に列挙するような効果がある。
（１）従来の技術の利点を生かしつつ、部品点数を少なくすると共に、主たる部材を合理的に組み合わせることができる。
（２）「面付け錠」にも適用することができる。
（３）施錠時のみならず、解錠時にも操作部材を簡単に引き抜くことができる。
（４）実施例によっては、施錠時及び解錠時にストッパー板の頭部２７を指でそれぞれ押し下げ、開口縁部２５と係合突起２３との干渉状態を解消させる必要があるから、不用意に操作部材１３がサムターン座７から抜けない。
【図面の簡単な説明】
図１乃至図１３は本発明の一実施例を示す各説明図。図１４及び図１５はストッパー板の開口径を設計変更した一例を示す各説明図。
【図１】斜視からの説明図。
【図２】室内側から見た錠箱、操作部材の説明図。
【図３】解錠時に於いて、操作部材とストッパー板との干渉関係の説明図。
【図４】サムターン座の表面側からの斜視図。
【図５】サムターン座の裏側からの斜視図。
【図６】操作部材の斜視図。
【図７】操作部材の説明図。
【図８】ストッパー板の斜視図。
【図９】解錠時におけるストッパー板の働きの説明図。
【図１０】解錠時における操作部材の引き抜きの説明図。
【図１１】施錠状態の説明図。
【図１２】施錠時におけるストッパー板の働きの説明図。
【図１３】施錠時における操作部材の引き抜きの説明図。
【図１４】ストッパー板の開口径を設計変更した例を示す説明図。
【図１５】図１４に於いて、施錠時におけるストッパー板の開口縁と操作部材の係合突起との干渉関係が成立しない一例を示す説明図。
【符号の説明】
Ｘ…錠前、１…扉、２…室外側、３…室内側、４…シリンダー錠、５…合鍵、６…錠ケース、７…サムターン座、９…第１支持板、１０…第２支持板、１１…サムターン入力軸、１２…嵌合部、１３…操作部材、１４…ストッパー板、１５…ケース部、１６…開口、１７…窓、１８…貫通孔、１９…フランジ部、２１…摘み部分、２２…水平挿入杆、２３…係合突起、２４，２４Ａ…中央開口、２５…開口縁部、２６…胴体部分、２７…頭部、２８…細幅脚部。
【図１】
2004346540.tif 000003
【図２】
2004346540.tif 000004
【図３】
2004346540.tif 000005
【図４】
2004346540.tif 000006
【図５】
2004346540.tif 000007
【図６】
2004346540.tif 000008
【図７】
2004346540.tif 000009
【図８】
2004346540.tif 000010
【図９】
2004346540.tif 000011
【図１０】
2004346540.tif 000012
【図１１】
2004346540.tif 000013
【図１２】
2004346540.tif 000014
【図１３】
2004346540.tif 000015
【図１４】
2004346540.tif 000016
【図１５】
2004346540.tif 000017